(57)【要約】【課題】劣化・腐敗しにくい竹製柵構造であると共に、安価で構築が容易である竹製柵構造を提供する。【解決手段】所定長さに切断した孟宗竹の下部を土中に埋設固定することにより一定間隔ごとの柵支柱を形成すると共に、同支柱に複数個の貫通孔を上下所要間隔で横方向に穿設し、隣接する各支柱の対向する貫通孔に一定長さの真竹の両端部を挿入して各支柱間に真竹の柵体を架設してなる竹製柵構造であって、孟宗竹の貫通孔と、柵体としての真竹との間の間隙に、竹製の楔を嵌着した事を特徴とした竹製柵構造とした。【選択図】図１
2007154641.tif 000002
【特許請求の範囲】
【請求項１】
所定長さに切断した孟宗竹の下部を土中に埋設固定することにより一定間隔ごとの柵支柱を形成すると共に、
同支柱に複数個の貫通孔を上下所要間隔で横方向に穿設し、
隣接する各支柱の対向する貫通孔に一定長さの真竹の両端部を挿入して各支柱間に真竹の柵体を架設してなる竹製柵構造。
【請求項２】
孟宗竹の貫通孔と、柵体としての真竹との間の間隙に、竹製の楔を嵌着した事を特徴とする、請求項１記載の竹製柵構造。
【請求項３】
孟宗竹の支柱に穿設する貫通孔は、孟宗竹の節直上で可及的に節に近接した位置に穿設することを特徴とする、請求項１または請求項２記載の竹製柵構造。
【発明の詳細な説明】
【技術分野】
【０００１】
本発明は、竹製の柵構造に関するものである。
【背景技術】
【０００２】
従来、景観の保護・向上や、自然素材の有効活用の見地等から、自然素材を用いて形成したガードレール等の柵構造が注目されており、このように自然の景観にマッチするように構成した柵構造として、横長木材を用いたものが知られていた。
【０００３】
このような横長木材を用いた柵構造は、所定間隔を保持して立設した支柱間に、上下に積み重ねた複数の横長木材と、これら複数の横長木材を相互に結束する結束部材と、により構成したガードレール板を架設した構造としていた。（例えば、特許文献１参照。）
また、一定間隔に立設した金属製の支柱間に、竹材を複数本上下に重ねて構成した竹杆を架設し、複数本の竹杆の自由端は、支柱に付設した両側及び上方開放の竹杆取付けケースに挿入し、竹杆抑止ボルトと竹杆抑止ナットで螺号し固定した竹製の柵構造についても知られていた。（例えば、特許文献２参照。）
【特許文献１】特開２００３−９６７３６号公報
【特許文献２】特開２００５−３００８８号公報
【発明の開示】
【発明が解決しようとする課題】
【０００４】
しかしながら、上記特許文献１のような柵構造においては、ガードレール板を構成する横長木材として木材を自然のままに使用するのではなく所定の寸法に切断して使用していたため、ガードレール板の表面が木材の切断面となっており使用環境に対して無防備な状態となっていたし、またこれらの横長木材を相互に結束する結束部材を、積層した横長部材内に埋設するために横長木材の内部にまで切断面を形成していたため、雨や夜露などの水分が浸透・浸入しやすく、横長木材が劣化・腐敗しやすいという問題があった。
【０００５】
また、上記特許文献２のような柵構造においては、懸架する竹杆の周側面は自然の状態とすることで切断面を表面に露出せず竹杆表面からの水分の浸透を防いでいるが、竹杆は、ボルト・ナットにより竹杆取付けケースへ螺号固定しているため、ボルト螺号部のボルト孔から水分が浸入してしまい、やはり竹杆の腐食の原因となっていたし、さらに竹杆の切断面は金属支柱やボルト・ナットなどの金属と接触しており、この異種部材の接触面に水分が加わることで、竹杆・金属部材共に、この接触部分から腐食が発生・進行しやすいという問題があった。
【０００６】
また、竹材は安価で入手できるものの、金属製の支柱やボルト・ナットは別途に生産する必要がありコストがかさんでいたし、ボルト・ナットによる構築作業が煩雑であったという問題があった。
【０００７】
本発明は、斯かる事情に鑑みてなされたものであって、劣化・腐敗しにくい竹製柵構造であると共に、安価で構築が容易である竹製柵構造を提供する。
【課題を解決するための手段】
【０００８】
上記従来の課題を解決するため、請求項１記載の竹製柵構造では、所定長さに切断した孟宗竹の下部を土中に埋設固定することにより一定間隔ごとの柵支柱を形成すると共に、同支柱に複数個の貫通孔を上下所要間隔で横方向に穿設し、隣接する各支柱の対向する貫通孔に一定長さの真竹の両端部を挿入して各支柱間に真竹の柵体を架設してなる竹製柵構造とした。
【０００９】
また、請求項２記載の竹製柵構造では、孟宗竹の貫通孔と、柵体としての真竹との間の間隙に、竹製の楔を嵌着した事を特徴とした。
【００１０】
また、請求項３記載の竹製柵構造では、孟宗竹の支柱に穿設する貫通孔は、孟宗竹の節直上で可及的に節に近接した位置に穿設することを特徴とした。
【発明の効果】
【００１１】
本発明によれば、所定長さに切断した孟宗竹の下部を土中に埋設固定することにより一定間隔ごとの柵支柱を形成すると共に、同支柱に複数個の貫通孔を上下所要間隔で横方向に穿設し、隣接する各支柱の対向する貫通孔に一定長さの真竹の両端部を挿入して各支柱間に真竹の柵体を架設してなる竹製柵構造としたため、柵体である竹杆表面に、雨水などの水分が浸透しやすい切断面部やボルト孔等を設ける必要がなく、竹杆の劣化・腐食を防止する効果がある。また、自然素材である竹材のみで構築できるため非常に安価に製作できるし、支柱と柵体との接合部も竹を組み合わせた簡単な構成としているため、構築作業を容易にすることができる。
【００１２】
また、孟宗竹の貫通孔と、柵体としての真竹との間の間隙に、竹製の楔を嵌着した事を特徴としたため、貫通孔と、同貫通孔に挿入した柵体である真竹を、どのような直径の真竹であっても密着固定させることができ、接合部に雨水や夜露などの水分が浸入することを防いで支柱・杆である竹材の劣化・腐食を防止する効果がある。
【００１３】
また、孟宗竹の支柱に穿設する貫通孔は、孟宗竹の節直上で可及的に節に近接した位置に穿設することを特徴としたため、竹の最も強度の高い部分である節において竹杆を支持することができ、架設する竹杆を確実に支持することができる。
【発明を実施するための最良の形態】
【００１４】
本発明に係る竹製柵構造は、所定長さに切断した孟宗竹の下部を土中に埋設固定することにより一定間隔ごとの柵支柱を形成すると共に、同支柱に複数個の貫通孔を上下所要間隔で横方向に穿設し、隣接する各支柱の対向する貫通孔に一定長さの真竹の両端部を挿入して各支柱間に真竹の柵体を架設してなる竹製柵構造としたものである。
【００１５】
ここで、竹杆は、植生している竹を所定の長さに切断しただけの状態で使用されており、竹杆の周側面は自然の状態として、雨などの水分が竹杆内部に浸透することを防止する事ができる。その結果、竹杆の劣化・腐敗の発生・進行を防止して長期間の使用を可能としている。
【００１６】
また、支柱と柵体との接合部は、孟宗竹である各支柱の対向する貫通孔に、一定長さの真竹の両端部を挿入架設することにより接合しているため、構築作業を簡略化して作業時間を短縮することができる。しかも支柱や接合部に金属部材等を使用することなく竹材のみで構築した柵構造としているため、異種部材の接触による腐食の発生及び進行の恐れがないし、また豊富な自然素材である竹材をリサイクルして有効に活用することができると共に非常に安価に製作することができる。さらに、古くなった柵体などは竹炭などに再度リサイクルすることが可能である。
【００１７】
柵体を支持する支柱には、径が大きく肉厚で、構造材に適する孟宗竹を使用し、柵自体の役割を担う竹杆には、稈が真っ直ぐで妄想竹よりも径が小さく強靭な材質であるという、竹杆として最適な性質を持つ真竹を使用しており、異なる性質である二種類の竹を適材適所に使用することにより、より強固な柵構造とする事ができるし、視覚的にもバランスよく構成することができる。
【００１８】
しかも、竹杆は中空のため軽量であり、支柱間に架設しても支柱に大きな負荷を与えることが無い。
【００１９】
さらに、竹材のみで構築した柵構造としているので、違和感無く自然の景観にマッチさせることができ、柵を目にする人々に安らぎや癒しを与えることができる。
【００２０】
また、孟宗竹の貫通孔と、柵体としての真竹との間の間隙に、竹製の楔を嵌着した事を特徴とした。
【００２１】
すなわち、貫通孔と、同貫通孔に挿入した柵体である真竹を、楔を介して密着固定させることができ、接合部に雨水や夜露などの水分が浸入することを防いで支柱・杆である竹材の劣化・腐食を防止する事ができるし、簡単な構成にて竹杆を支柱に確実に固着する事ができる。
【００２２】
また、挿入する真竹の、径の大小差によって貫通孔と竹杆間の間隙の多少が生じても、楔の嵌着深さを調整して楔の嵌着部分を任意の厚み部分とすることにより対応することができるため、挿入する真竹の直径を選ばず、どのような直径の真竹であっても確実に固定することができる。
【００２３】
また、孟宗竹の支柱に穿設する貫通孔は、孟宗竹の節直上で可及的に節に近接した位置に穿設することを特徴とした。
すなわち、竹の最も強度の高い部分である節において竹杆を支持することができるため、架設する竹杆を確実に支持することができるし、竹杆の重みで貫通孔の縁部分が損壊することを防止することができる。
【００２４】
なお、支柱１とした孟宗竹の節間は、他の種類の竹と比較して短く、一般して２５０〜３００ｍｍであり、棹上に比較的均等に形成されているため、竹杆を架設して柵体を形成する間隔として非常に適しているし、竹の節間長は日当たりや土中の水分量などの植生環境によって変化し、決定されるので、同一環境の一範囲内に植生する孟宗竹を採取し、支柱として使用すれば、一定節間長の支柱とする事ができるため、節直上に貫通孔を設けこれに竹杆を挿入架設しても、バランスを損なうことなく安定して竹杆を架設することができる。
【００２５】
以下に、本発明に係る竹製柵構造の具体的な実施形態について、図面を参照しながら説明する。
【００２６】
図１は、本実施形態における竹製柵構造の正面説明図、図２は、本実施形態における竹製柵構造の側面説明図、図３は、本実施形態における竹製柵構造の一部断面説明図である。
【００２７】
図１〜図３に示すように、本竹製柵構造Ａは、一定間隔に立設した支柱１,１,・・に、それぞれ４個の貫通孔１０,１０,１０,１０を上下所要間隔で横方向に穿設し、隣接する支柱１，１の、水平位置における貫通孔１０,１０に、竹杆２の両端をそれぞれ挿入して支柱１，１間に上下４本の柵体を架設しており、しかも、貫通孔１０内に生じた竹杆２両端部表面との間隙Ｄには４個の楔２０を嵌着してなる柵構造としている。
【００２８】
支柱１は、所定長さに切断した孟宗竹の下部を土中に埋設固定することにより一定間隔ごとに形成しており、この支柱１を埋設する間隔は、２０００ｍｍ程度であることが好ましく、埋設長さは地上に露出する支柱１の長さと同程度の長さとすると安定して支柱１を支持することができる。
【００２９】
なお、支柱１は、孟宗竹を支柱１として切断する際、一端を孟宗竹の節直上で可及的に節に近接した位置で切断し、これを頭部側として、頭頂部に節７を位置させた状態で支柱１を地中に埋設固定する。すなわち、節７が支柱頭部における蓋の役目を果たして雨水などが支柱１内部に浸入することを防止し、別途に蓋体を設ける手間を省いている。
【００３０】
竹杆２は、真竹を支柱１の立設幅に合わせて１９００〜２０００ｍｍ程度の長さに切断して形成し、隣接する各支柱１，１,・・の対向する貫通孔１０に両端部を挿入して支柱１，１間に架設する。
【００３１】
架設作業の際には、竹杆２を、一定間隔に立設した支柱1，１,・・の貫通孔の終点部から挿入して始点部へ順に渡して架設していくことで、容易に柵体を構築することができる。
【００３２】
貫通孔１０は、支柱１,１,・・・にそれぞれ４個、上下所要間隔で横方向に穿設しており、その直径は、一般的な真竹である竹杆２の節部直径よりも大きめとした７０ｍｍ程に形成して、真竹の径を選ばず挿入可能としている。
【００３３】
また、この貫通孔１０の穿設位置は、図３〜図５に示すように、支柱１である孟宗竹の節直上で可及的に節に近接した位置としている。
【００３４】
なお、竹杆の架設間隔は一般的な孟宗竹の節間長の略平均である略２７０ｍｍとし、上述したように、節間が略２７０ｍｍの孟宗竹が植生する一定範囲から孟宗竹を採取して、節直上で可及的に節に近接した位置に貫通孔１０を穿設すれば一定して略２７０ｍｍ間隔に貫通孔１０を形成する事ができるため、架設する竹杆２を安定して支持することができる。
【００３５】
また、貫通孔１０形成の際、図３、４に示すように、貫通孔１０直下に位置する節の隔壁６に連なる外部節突部８の一部を切削して節切削部ｘとし、同節切削部ｘは貫通孔１０と連通状態として、雨水流路９を形成している。したがって、支柱１内部に雨水などの水分が浸入したとしても、水分を隔壁６周縁の雨水流路９へ導いて、貫通孔１０外部へ流出させることができ、雨水などの水分が支柱１内部の隔壁６間に浸入した場合にも支柱１内部に水が溜まって竹が腐食することを防止している。
【００３６】
また、前述したように貫通孔１０の径は、一般的な真竹である竹杆２の直径よりも大きめとしているため、貫通孔１０に竹杆２を挿入すると間隙Ｄが形成される。（図３参照）この間隙Ｄに４個の楔２０を約９０度の間隔で嵌着することにより竹杆２を貫通孔１０内で固定する。
【００３７】
楔２０は、竹材で１５×３０ｍｍ程度の楔状に形成して最大厚は１０ｍｍ程とし、間隙Ｄの上下左右の４箇所にそれぞれ嵌着する。
【００３８】
４個の楔２０,２０,・・を、それぞれ貫通孔１０と竹杆２との間の間隙Ｄの上下左右位置に楔２０が摺動しない状態となるまで挿入嵌着することにより、竹杆２を貫通孔１０内に確実強固に固定することができる。また、貫通孔１０毎に４個の楔２０を使用することで０〜４０ｍｍの間隙Ｄに対応でき、一般的な真竹であればどのようなものであっても確実に貫通孔１０内に固定可能としている。
【００３９】
一連の支柱１,１,・・における始点・終点部の貫通孔１０,１０,・・にはそれぞれ、図示しない竹製の蓋体を設けて貫通孔１０を閉塞している。
【００４０】
また、本実施形態において支柱１は、地中深く埋設して立設したが、設置場所や設置目的などによって、基礎ブロックや基礎コンクリート上に立設することができ、すなわち、本発明に係る竹製柵構造の他の実施形態として、図６に示すように構築することもできる。図６に示す竹製柵構造Ｂは、基礎ブロック３３中央に支持孔３５を設け、同支持孔３５に、貫通孔３０を穿設した支柱３１を挿入固定して埋設し、隣接する各支柱３１，３１の対向する貫通孔３０，３０に竹杆３２を架設してなる竹製柵構造である。このように支柱３１を基礎ブロック３３上に立設する場合は、支柱３１の埋設長さは４００ｍｍ程度とすると、安定して支柱３１を支持することができる。図中３７は、支柱３１の頭頂部における節である。
【００４１】
また、他の実施例における竹製柵構造として、図７（ａ）に示すように、貫通孔１０に挿入した竹杆２下部の間隙Ｄ’に、図７（ｂ）に示す楔を兼ねた竹製の受板３６を嵌着する竹製柵構造Ｂ’とすることもできる。
【００４２】
受板３６は、竹杆２とする真竹の径よりも若干大きめである径の真竹を使用し、真竹の節直上又は直下で可及的に節に近接した位置で切断し、受板３６の一端部３７に節が位置するように形成する。切断長さは、貫通孔１０の奥行き幅の倍程度であれば良く、すなわち、支柱１の直径の、略２倍の長さで切断する。さらに、切断した真竹を長手方向に４つに縦割りして竹片とした受板３６を形成する。
【００４３】
この受板３６を、例えばハンマー等により、竹杆２直下の位置における間隙Ｄ’に打ち込み、竹杆２と貫通孔１０の周縁部、及び受板３６を密着固定させることにより、竹杆２を支柱１へ確実強固に架設することができる。受板３６の端部３７は節によって形成して強度を持たせているため、ハンマー等による強打にも耐え得る。
【００４４】
受板３６は、竹杆２の径よりも多少大きめの径である真竹により形成したため、受板３６のカーブに竹杆２の下面の曲面を収めて、受板３６と竹杆２を密着させる事ができ、間隙Ｄを可及的に小さくして竹杆２を確実強固に支持する事ができる。
【００４５】
受板３６は貫通孔１０の底部、すなわち節直上に位置するため、支柱１の隔壁により確実に支持される。そして受板３６は、貫通孔１０の貫通幅である支柱１の直径の略２倍長さとしたため、貫通孔１０内部における竹杆２，２の繋ぎ目部分及びその近傍を確実に支持して竹杆２，２を安定して支持する事が可能である。なお、図７における竹製柵構造Ｂ’において、図１における竹製柵構造Ａの構成要件と同様の構成要件には同一の符号を付することにより、その説明を省略した。
【００４６】
なお、上記した実施形態において、架設する竹杆２は４本としているが、設置場所や設置目的などにあわせて、架設する竹杆２の本数を変更してもよく、その際は竹杆２の本数に合わせて支柱１に形成する貫通孔１０の個数も変更する。
【００４７】
このように、本発明に係る竹製柵構造は、竹材のみで構成し、非常に簡単・安価な構造としながらも、劣化・腐敗しにくく長期使用を可能とした竹製柵構造を実現している。
【図面の簡単な説明】
【００４８】
【図１】本実施形態における竹製柵構造の正面説明図である。
【図２】本実施形態における竹製柵構造の側面説明図である。
【図３】本実施形態における竹製柵構造の一部断面説明図である。
【図４】支柱の一部断面説明図である。
【図５】支柱と竹杆の接合部の説明図である。
【図６】他の実施形態における竹製柵構造の正面説明図である。
【図７】他の実施例における竹製柵構造の説明図である。
【符号の説明】
【００４９】
Ａ  竹製柵構造
Ｂ  竹製柵構造
１  支柱
２  竹杆
６  隔壁
７  節
８  外部節突部
９  雨水流路
１０  貫通孔
２０  楔
３０  貫通孔
３１  支柱
３２  竹杆
３３  基礎ブロック
３５  支持孔
３６  受板
３７  端部
Ｄ  間隙
Ｇ  地表面
【図１】
2007154641.tif 000003
【図２】
2007154641.tif 000004
【図３】
2007154641.tif 000005
【図４】
2007154641.tif 000006
【図５】
2007154641.tif 000007
【図６】
2007154641.tif 000008
【図７】
2007154641.tif 000009